(57)【特許請求の範囲】
【請求項１】
イーサネット回線間を高速ディジタル回線を介して接続するための２台のイーサネットコンバータにおける帯域速度の設定システムにおいて、
少なくとも一方のイーサネットコンバータには、
前記高速ディジタル回線の異常を検出する回線警報収集手段と、
主信号に含まれる識別パターンの不一致を検出する手段と、
前記識別パターンの不一致が検出された場合に、一方のイーサネットコンバータ内部における帯域速度の設定を順次変更する帯域変更手段と、
前記帯域変更手段によって順次変更される帯域速度に対応した内部識別パターンと他方のイーサネットコンバータからの主信号に含まれる識別パターンとを順次照合する照合手段と、
前記照合手段によって識別パターンが一致した時の前記帯域変更手段によって設定された帯域速度に一方のイーサネットコンバータの主信号の帯域速度を変更する手段と、を含み、
前記回線警報収集手段が前記高速ディジタル回線の異常を検出した際には、前記主信号の帯域速度の変更をしないことを特徴とするイーサネットコンバータにおける帯域速度の自動設定システム。
【請求項２】
前記他方のイーサネットコンバータには、手動で帯域速度を設定する帯域速度設定手段が設けられていることを特徴とする請求項１に記載のイーサネットコンバータにおける帯域速度の自動設定システム。
【請求項３】
イーサネット回線間を高速ディジタル回線を介して接続するための２台のイーサネットコンバータにおける帯域速度の設定方法であって、
一方のイーサーネットコンバータにおいて、
前記高速ディジタル回線の異常を検出する異常検出ステップと、
他方のイーサネットコンバータからの主信号に含まれる識別パターンとの不一致を検出するステップと、
前記識別パターンの不一致の検出に応じて、一方のイーサネットコンバータ内部における帯域速度の設定を順次変更するステップと、
前記帯域変更手段によって順次変更された帯域速度に対応した内部識別パターンと他方のイーサネットコンバータからの主信号に含まれる識別パターンとを順次照合するステップと、
前記識別パターンが一致した時の帯域速度に一方のイーサネットコンバータの主信号の帯域速度を変更するステップと、を含み、
前記異常検出ステップにおいて、前記高速ディジタル回線の異常が検出されなかった場合には主信号の帯域速度の変更をしないことを特徴とするイーサネットコンバータにおける帯域速度の設定方法。
【発明の詳細な説明】
【０００１】
【発明の属する技術分野】
本発明は、イーサネット（登録商標）信号をHSD（高速ディジタル）回線信号に変換するイーサネットコンバータ（伝送装置）における伝送路インタフェースの帯域速度（論理速度）の変更に際して、対向する伝送装置の帯域速度を一致させる設定システムに関する。
【０００２】
【従来の技術】
図１を用いてイーサネットコンバータが適用されるネットワーク構成について説明する。
図１において、図示しないイーサネット回線に接続されたマスター（制御）側伝送装置Ａ11とスレーブ（被制御）側伝送装置Ｂ13は、HSD（高速ディジタル）回線12を介してディジタルデータ（主信号）の送受を行っている。
【０００３】
また、図１における従来のマスター側伝送装置Ａ及びスレーブ側伝送装置Ｂの構成を図２を用いて説明する。
図１において、伝送装置（マスター及びスレーブ共通）は、回線終端部１、データ処理部２、主信号帯域（速度）変換部３、識別パターン送出部４、識別パターン検出部５及び帯域速度設定部６により構成されている。
【０００４】
前記回線終端部１は、To伝送路及びFrom伝送路によりHSD回線接続され、インタフェースのフレーム同期や回線状態の監視等を実行する。
また、前記データ処理部２は、図示しないイーサネット網に接続され、送受信データのデータ変換を実行する。
また、前記主信号帯域変換部３は、帯域速度の変更を行い、無効な帯域のデータを破棄する。
また、前記識別パターン送出部４は、有効データを監視し、データが途切れたときに対向伝送装置に識別パターンを送出する。
また、前記識別パターン検出部５は、対向伝送装置からの識別パターンの検出／照合を実行して、対向伝送装置の状態を監視する。
また、前記帯域速度設定部６は、主信号帯域変換部に対する帯域速度の設定を手動にて行う。
【０００５】
【本発明が解決しようとする課題】
伝送装置Ａ及び伝送装置Ｂで、イーサネット信号とHSD回線信号との信号変換して、相互にディジタルデータの送受を実行するに際して、伝送路インタフェースの帯域速度（論理速度）の変更を行う場合に、従来では、対向する２台の伝送装置のに設けられた帯域速度設定スイッチを、それぞれの設置場所に出向いて設定を行う必要があった。
【０００６】
本発明の課題
(目的)は、イーサネット信号をHSD（高速ディジタル）回線を介して相互に伝送するシステムにおいて、他方の伝送装置（マスター側）で帯域速度を変更することにより、一方の伝送装置（スレーブ側）の帯域速度の設定（変更）を自動的に行うことが可能る帯域速度の自動設定方式を提供することにある。
また、帯域速度設定を自動で行うにあたり、常時帯域を占有することなく、対向する伝送装置の帯域設定が異なる状態でも帯域速度を自動的に認識して、主信号の類似パターンにより帯域速度を誤認識することなく、帯域速度を一致させる。
【０００７】
【課題を解決するための手段】
イーサネット回線間を高速ディジタル回線を介して接続するための２台のイーサネットコンバータにおける帯域速度の設定システムにおいて、
少なくとも一方のイーサネットコンバータには、
前記高速ディジタル回線の異常を検出する回線警報収集手段と、
主信号に含まれる識別パターンの不一致を検出する手段と、
前記識別パターンの不一致が検出された場合に、一方のイーサネットコンバータ内部における帯域速度の設定を順次変更する帯域変更手段と、
前記帯域変更手段によって順次変更される帯域速度に対応した内部識別パターンと他方のイーサネットコンバータからの主信号に含まれる識別パターンとを順次照合する照合手段と、
前記照合手段によって識別パターンが一致した時の前記帯域変更手段によって設定された帯域速度に一方のイーサネットコンバータの主信号の帯域速度を変更する手段と、を含み、
前記回線警報収集手段が前記高速ディジタル回線の異常を検出した際には、前記主信号の帯域速度の変更をしないことを特徴とする。（請求項１）
【０００８】
また、前記他方のイーサネットコンバータには、手動で帯域速度を設定する帯域速度設定手段を設ける。（請求項２）
【０００９】
また、イーサネット回線間を高速ディジタル回線を介して接続するための２台のイーサネットコンバータにおける帯域速度の設定方法であって、
一方のイーサーネットコンバータにおいて、
前記高速ディジタル回線の異常を検出する異常検出ステップと、
他方のイーサネットコンバータからの主信号に含まれる識別パターンとの不一致を検出するステップと、
前記識別パターンの不一致の検出に応じて、一方のイーサネットコンバータ内部における帯域速度の設定を順次変更するステップと、
前記帯域変更手段によって順次変更された帯域速度に対応した内部識別パターンと他方のイーサネットコンバータからの主信号に含まれる識別パターンとを順次照合するステップと、
前記識別パターンが一致した時の帯域速度に一方のイーサネットコンバータの主信号の帯域速度を変更するステップと、を含み、
前記異常検出ステップにおいて、前記高速ディジタル回線の異常が検出されなかった場合には主信号の帯域速度の変更をしないことを特徴とする。（請求項３）
【００１０】
【発明の実施の形態】
本発明おけるスレーブ側伝送装置Ｂの構成を図３を用いて説明する。
なお、マスター側伝送装置Ａは従来の図２の構成でよい。
図３において、伝送装置は、回線終端部１、データ処理部２、主信号帯域変換部３、識別パターン送出部４、第1の識別パターン検出部５及び帯域速度制御部６により構成されている。
【００１１】
回線終端部１は、To伝送路及びFrom伝送路によりHSD回線接続され、インタフェースのフレーム同期や回線状態の監視等を実行する。
また、データ処理部２は、図示しないイーサネット網に接続され、送受信データのデータ変換を実行する。
また、主信号帯域変換部３は、主信号の帯域速度の変更を行い、無効な帯域のデータを破棄する。
また、識別パターン送出部４は、有効データを監視し、データが途切れたときに対向伝送装置に識別パターンを送出する。
また、第１の識別パターン検出部５は、対向伝送装置からの識別パターンの検出／照合を実行して、対向伝送装置の状態を監視する。
また、帯域速度制御部６は、主信号帯域変換部に対する帯域速度の設定を自動的に実行する本発明の特徴部分である。
【００１２】
帯域速度制御部６には、帯域制御部7-1、帯域変換部7-2及び第２の識別パターン検出部7-3が含まれる。
そして、帯域制御部6-1は、回線終端部１からの回線警報及び第１の識別パターン検出部5からの識別パターン検出信号の収集、帯域変換部6-2に対する帯域速度の変更指示、及び帯域変換部6-2による設定帯域速度と対向伝送装置の設定帯域速度とを照合して一致／不一致信号を出力する識別パターン検出部6-3の検出出力の収集を行い、演算処理された出力によって、主信号帯域変換部３に対して対向伝送装置の設定帯域速度と同じ値に設定する。
回線警報（LINE  REC）の種類としては、「フレーム同期パターンの不一致」及び「入力信号断」がある。
【００１３】
次に本発明のイーサネットコンバータにおける帯域速度の自動設定システムの動作を図４のフローチャートを用いて詳細に説明する。
▲１▼帯域制御部6-1において、回線終端部１及び第１の識別パターン検出部５から回線警報及び識別パターン検出信号を収集する。（ステップS1）
▲２▼識別パターンが不一致で、且つ、回線警報が存在するか否かの判断をする。（ステップS2）
ステップS2の判断でNoの場合は、ステップS1に戻る。
この場合は、回線警報が存在する場合には、識別パターンの不一致があっても、回線状態が異常によるものとして、帯域速度の相違は無いと判断して、帯域速度の変更はしない。
ステップS2の判断でYesの場合は、回線警報が存在しないので、回線状態が正常で、識別パターンが異常と一応判断できるが、その場合には以下の３通りの状態が考えられるために、更に判定を行う必要がある。
・対向側伝送装置の帯域速度と相違する。
・対向側伝送装置が故障である。
・回線警報の検出できないが、回線状態が異常である。
【００１４】
▲３▼帯域制御部6-1から帯域変換部6-2に帯域変更信号を送出する。（ステップS3）
この帯域変更信号は、主信号の帯域速度は変更せずに、帯域速度制御部６内での帯域速度を「64kbps→128kbps→384kbps・・・」の様に順番に1つずつ変更する帯域変更信号を帯域変換部6-2に送出する。
【００１５】
▲４▼帯域制御部6-1から帯域変更信号を受けた帯域変換部6-2では、「64kbps→128kbps→384kbps・・・」の順番に帯域速度を1つずつ変更する。（ステップS4）
▲５▼第２の識別パターン検出部6-3では、ステップS4で変更された帯域速度制御部６内でのみ形成される帯域速度毎の識別パターンを検出する。（ステップS5）
▲６▼前記パターン検出部５で検出された対向伝送装置から送信された信号の識別パターンと第２の識別パターン検出部6-3で検出された帯域速度制御部６内でのみ形成された識別パターンとを順次対比・照合する。（ステップS6）
【００１６】
ステップS6の判断でNoの場合、即ち、帯域変換部6-2で変更された「64kbps→128kbps→384kbps・・・」の全ての帯域速度において識別パターンが一致しない場合には、対向伝送装置の故障又は回線の異常であり、帯域速度の相違ではないと判断して、帯域速度の変更は行わず、ステップS1に戻る。
【００１７】
▲７▼ステップS6の判断でYesの場合、前記識別パターンが一致した時の帯域変換部6-2で設定した帯域速度を帯域制御部6-1を介して帯域制御信号として主信号帯域変換部３に送出する。（ステップS7）
▲８▼帯域制御信号を受信した主信号帯域変換部6-1では、主審号の帯域速度を前記識別パターンが一致した時の帯域変換部6-2で設定した帯域速度に変更する。
【００１８】
即ち、回線状態が正常で、識別パターンが不一致で、且つ、帯域速度制御部６で、識別パターンが一致した場合には、帯域速度の相違と判断して、対向伝送装置と同じ帯域速度に自動的に変更される。
【００１９】
【発明の効果】
請求項１に記載の発明では、イーサネット回線間を高速ディジタル回線を介して接続するための２台のイーサネットコンバータにおける帯域速度の設定システムにおいて、
少なくとも一方のイサーネットコンバータには、主信号に含まれる識別パターンの不一致を検出する手段と、前記識別パターンの不一致の検出に応じて、一方のイーサネットコンバータ内部における帯域速度の設定を順次変更する帯域変更手段と、前記帯域変更手段によって順次変更される帯域速度に対応した内部識別パターンと他方のイーサネットコンバータからの主信号に含まれる識別パターンとを順次照合する照合手段と、前記照合手段によって識別パターンが一致した時の前記帯域変更手段によって設定された帯域速度に一方のイーサネットコンバータの主信号の帯域速度を変更する手段とを設けることにより、イーサネット信号をHSD（高速ディジタル）回線を介して相互に伝送するシステムにおいて、他方の伝送装置（マスター側）で帯域速度を変更することにより、一方の伝送装置（スレーブ側）の帯域速度の設定（変更）を自動的に行うことが可能な帯域速度の自動設定できる。
【００２０】
また、請求項１に記載の発明では、前記一方のイーサネットコンバータには、更に、高速ディジタル回線の異常を検出する回線警報収集手段を含み、前記回線警報収集手段から、回線の異常を検出した際には、主信号の帯域速度の変更をしない構成とすることにより、回線警報の受信時には、回線の異常と判断して、帯域速度の自動調整を実行しない。また、請求項２に記載の発明では、前記他方のイーサネットコンバータには、手動で帯域速度を設定する帯域速度設定手段を設けた従来の伝送装置の使用が可能である。
【００２１】
また、請求項３に記載の発明では、イーサネット回線間を高速ディジタル回線を介して接続するための２台のイーサネットコンバータにおける帯域速度の設定方法であって、一方のイーサネットコンバータにおいて、他方のイーサネットコンバータからの主信号に含まれる識別パターンとの不一致を検出するステップと、前記識別パターンの不一致の検出に応じて、一方のイーサネットコンバータ内部における帯域速度の設定を順次変更するステップと、前記帯域変更手段によって順次変更された帯域速度に対応した内部識別パターンと他方のイーサネットコンバータからの主信号に含まれる識別パターンとを順次照合するステップと、前記照合手段によって識別パターンが一致した時の帯域速度に一方のイーサネットコンバータの主信号の帯域速度を変更するステップとによりイーサネットコンバータにおける帯域速度を自動設定するので、帯域速度設定のためにスレーブ側の伝送装置の設置場所に出向いて設定を行う必要がなくなる。
また、一方のイーサネットコンバータにおいて、高速ディジタル回線の異常を検出する回線警報収集するステップを含み、回線の異常を検出した場合には、主信号の帯域速度の変更をしないので、誤動作を防止できる。
【図面の簡単な説明】
【図１】本発明の適用されるネットワーク構成を示す図である。
【図２】従来の伝送装置の構成を示す図である。
【図３】本発明の伝送装置の構成を示す図である。
【図４】本発明の伝送装置の帯域速度の自動的な変更の動作を説明するフローチャート図である。
【符号の説明】
１      回線終端部
２      データ処理部
３      主信号帯域変換部
４      識別パターン送出部
５      第１の識別パターン検出部
６      帯域速度制御部
6-1      帯域制御部
6-2      帯域変換部
6-3      第２の識別パターン検出部
ａ      回線警報
ｂ      識別パターン検出信号
ｃ      帯域制御信号
【図１】
0003952157.tif 000002
【図２】
0003952157.tif 000003
【図３】
0003952157.tif 000004
【図４】
0003952157.tif 000005